(57)【要約】【課題】組立てが簡単であり、ばらつきのないクリック感が得られてスイッチを確実に動作させることができるキースイッチ構造を提供する。【解決手段】メンブレンスイッチ４が形成された基板３と、板状ベースにヒンジを介して凹面に突起を有する球面板状押し子９ａが連なる弾性作動板９とをシャーシ１に形成された同一の位置決め部で位置決めしてシャーシ１面に重ねる共に、前記球面板状押し子９ａの突起９ｂをメンブレンスイッチ４のメンブレンドーム３ａと当接させ、さらに、前記球面板状押し子９ａを押すキートップ５を球面板状押し子９ａの上に配置した。【選択図】図２
2008311101.tif 000002
【特許請求の範囲】
【請求項１】
メンブレンスイッチが形成された基板と、板状ベースにヒンジを介して凹面に突起を有する球面板状押し子が連なる弾性作動板とをシャーシに形成された同一の位置決め部で位置決めしてシャーシ面に重ねる共に、前記球面板状押し子の突起をメンブレンスイッチのメンブレンドームと当接させ、さらに、前記球面板状押し子を押すキートップを球面板状押し子の上に配置したことを特徴とするキースイッチ構造。
【請求項２】
前記球面板状押し子がその両側で対向する２つのヒンジを介して前記板状ベースに連なっている請求項１のキースイッチ構造。
【請求項３】
前記キートップは樹脂つまみとゴムつまみが嵌合して形成されており、前記樹脂つまみはそのフランジがフロントケースの穴周縁で係止され前記フランジで囲まれた被押圧部が前記穴から露出しており、前記ゴムつまみが前記メンブレンドームによりフロントケース外部方向に付勢されている請求項１または２のキースイッチ構造。
【請求項４】
前記ゴムつまみとメンブレンドームの間に防水シートを介在させた請求項１から３のいずれかに記載されたキースイッチ構造。
【請求項５】
前記ゴムつまみの前記メンブレンドーム側の面が凸球面形状である請求項１から４のいずれかに記載したキースイッチ構造。
【請求項６】
無線機に用いられるＰＴＴである請求項１から５のいずれかに記載したキースイッチ構造。
【発明の詳細な説明】
【技術分野】
【０００１】
この発明は電子機器に係わり、特に、そのスイッチ構造に関する。
【背景技術】
【０００２】
従来のの無線機のＰＴＴ（push to talk) のスイッチ構造の例を図６および図７により説明する。図６は従来の無線機のＰＴＴのスイッチ構造の例を示す分解斜視図、図７は図６におけるＡ−ＡおよびＢ−Ｂ断面を示す断面図である。
【０００３】
図６および図７に示すシャーシ１には長方形状凹部１ａが設けられており、長方形状凹部１ａにメンブレンスイッチ４が嵌め込まれている。メンブレンスイッチ４は小基板３にメンブレンドーム３ａが形成された樹脂板が貼付けて形成されている。メンブレンドーム３ａ押すことにより小基板３に形成された導体パターンがメンブレンドーム３ａの裏面に設けられた導体膜で導通される。
【０００４】
シャーシ１の長方形状凹部１ａにメンブレンスイッチ４が嵌め込まれた後、長方形状凹部１ａを塞ぐように防水シート８がシャーシ１に貼付けられる。さらに、キートップ５が防水シート８の上に配置される。キートップ５は樹脂つまみ６の凸部６ａがゴムつまみ７の凹部７ａに嵌まり込んで一体となって形成されている。このキートップ５は凸球面７ｂとメンブレンドーム３ａの夫々の中心軸が一致するように配置される。
【０００５】
すなわち、樹脂つまみの６のフランジ６ｂはシャーシ１に組み付けられるフロントケース２の穴２ａの周囲の縁に係止され、樹脂つまみの６のメンブレンスイッチ４から離れる方向の動きが規制されメンブレンドーム３ａの弾力により、樹脂つまみの６のフランジ６ｂがフロントケース２の穴２ａの周囲の縁に圧接された状態となっている。
【０００６】
上記構成において、フロントケース２の穴２ａから突出した樹脂つまみの６を指で押すと、樹脂つまみの６はフロントケース２の内部方向に移動してゴムつまみ７および防水シート８を押し、メンブレンスイッチ４が導通状態となる。樹脂つまみの６から指を離すと、メンブレンドーム３ａの弾力により樹脂つまみの６が押し返されメンブレンスイッチ４が非導通状態となる。
【０００７】
上記した従来のＰＴＴのスイッチ構造では、フロントケース２と樹脂つまみの６間、樹脂つまみの６とゴムつまみ７との間、シャーシ１とメンブレンドーム３ａの間およびシャーシ１とフロントケース２との間の夫々で部品寸法および組立てのばらつきによりゴムつまみ７の中心軸とメンブレンドーム３ａの中心軸がずれた場合や、また、樹脂つまみの６を偏って押してキートップ５が倒れた状態でメンブレンドーム３ａ押す場合があるため、キーを押す感覚すなわちクリック感がばらつき、スイッチを確実に作動させるための障害となっていた。
【０００８】
実開平４−１０１３２４号公報に提案されたスイッチの取付構造は、キートップ２をパネル１とプリント基板５とでガイドし、キートップ２とプリント基板５との間にスプリング８を介在させている。
【０００９】
このスイッチの取付構造ではキートップ２の倒れが発生しにくく、また、キートップ２を押す力のばらつきも小さくなるが、スプリング８を圧縮状態にしてキートップ２とプリント基板５との間に組み込むため、組立てが面倒で組立て工数が増大するという問題があった。
【特許文献１】実開平４−１０１３２４号公報、要約、図１
【発明の開示】
【発明が解決しようとする課題】
【００１０】
この発明は上記した点に鑑みてなされたものであって、その目的とするところは、組立てが簡単であり、ばらつきのないクリック感が得られてスイッチを確実に動作させることができるキースイッチ構造を提供することにある。
【課題を解決するための手段】
【００１１】
この発明のキースイッチ構造は、メンブレンスイッチが形成された基板と、板状ベースにヒンジを介して凹面に突起を有する球面板状押し子が連なる弾性作動板とをシャーシに形成された同一の位置決め部で位置決めしてシャーシ面に重ねる共に、前記球面板状押し子の突起をメンブレンスイッチのメンブレンドームと当接させ、さらに、前記球面板状押し子を押すキートップを球面板状押し子の上に配置したものである。
【００１２】
また、前記キースイッチ構造において、前記球面板状押し子がその両側で対向する２つのヒンジを介して前記板状ベースに連なっているものである。
【００１３】
また、前記各キースイッチ構造において、前記キートップは樹脂つまみとゴムつまみが嵌合して形成されており、前記樹脂つまみはそのフランジがフロントケースの穴周縁で係止され前記フランジで囲まれた被押圧部が前記穴から露出しており、前記ゴムつまみが前記メンブレンドームによりフロントケース外部方向に付勢されているものである。
【００１４】
また、前記各キースイッチ構造において、前記ゴムつまみとメンブレンドームの間に防水シートを介在させたものである。
【００１５】
また、前記各キースイッチ構造において、前記ゴムつまみの前記メンブレンドーム側の面を凸球面形状としたものである。
【００１６】
また、前記各キースイッチ構造を、無線機に用いられるＰＴＴに適用したものである。
【発明の効果】
【００１７】
この発明のキースイッチ構造によれば、組立てが簡単であり、ばらつきのないクリック感が得られてスイッチを確実の動作させることができる。
【発明を実施するための最良の形態】
【００１８】
図１はこの発明の実施例である無線機のＰＴＴのスイッチ構造を示す分解斜視図、図２は図１におけるＡ−ＡおよびＢ−Ｂ断面を示す断面図である。この例では図６および図７で説明した従来の無線機のＰＴＴのスイッチ構造において、メンブレンドーム３ａと防水シート８の間に図３にも詳しく示す弾性作動板９を介在させてある。他の構成は図６および図７で説明した従来のものと同様であり、その詳細な説明を省略する。
【００１９】
実施例で用いられる弾性作動板９は図３にも詳しく示すように、板状ベース９ｆに対向する２つのヒンジ９ｃ、９ｄを介して球面板状押し子９ａが連なる形状であり、弾性変形可能な樹脂で作られている。球面板状押し子９ａの凹面はメンブレンスイッチ４側に配置され、突起９ｂが形成されている。板状ベース９ｆの縁部９ｅはメンブレンスイッチ４側に向けてＬ字形に折り曲げた形状となっており、小基板３を位置決めするシャーシ１の長方形状凹部１ａで位置決めされる。
【００２０】
球面板状押し子９ａの突起９ｂはメンブレンスイッチ４の頂部と当接する。図４および図５に実施例のスイッチ構造の作動状態を示す。これらの作動状態では樹脂つまみの６を偏って押すことにより樹脂つまみの６が倒れた状態でメンブレンスイッチ４のメンブレンドーム３ａを球面板状押し子９ａの突起が押している。
【００２１】
これらの状態において、メンブレンドーム３ａと球面板状押し子９ａの突起９ｂが防水シート８を介在させた状態で圧接するが、球面板状押し子９ａが球面となっているので矢印で示すように、メンブレンドーム３ａの中心部が垂直方向に押され、クリック感のばらつきが発生しない。
【００２２】
さらに、球面板状押し子９ａは対向する２つのヒンジ９ｃ、９ｄを介して板状ベース９ｆに支持されているので、ヒンジの傾きが相殺されて球面板状押し子９ａが傾かないことによりクリック感のばらつきがさらに小さくなる。部品間の寸法および組立てのばらつきによりゴムつまみ７の中心軸とメンブレンドーム３ａの中心軸がずれた場合も同様にクリック感のばらつきが押えられスイッチを確実に動作させることができる。
【００２３】
２つのヒンジ９ｃ、９ｄの幅および長さや弾性作動板９の弾性率を適切に設定することにより、キーの荷重を最適のものとすることができる。
【００２４】
実施例は以上のように構成されているが発明はこれに限られず、例えば、この発明をＰＴＴ以外のスイッチに適用することもできる。弾性作動板９は単一のヒンジよるものでもこの発明の効果を得ることができきる。
【図面の簡単な説明】
【００２５】
【図１】この発明の実施例である無線機のＰＴＴのスイッチ構造を示す分解斜視図である。
【図２】同スイッチ構造を示す断面図である。
【図３】同スイッチ構造の部材を示す斜視図である。
【図４】同スイッチ構造の作動状態を示す断面図である。
【図５】同スイッチ構造の他の状態を示す断面図である。
【図６】従来の無線機のＰＴＴのスイッチ構造の例を示す分解斜視図である。
【図７】同スイッチ構造を示す断面図である。
【符号の説明】
【００２６】
１  シャーシ、１ａ  長方形状凹部
２  フロントケース、２ａ  穴
３  小基板、３ａメンブレンドーム
４  メンブレンスイッチ
５  キートップ
６  樹脂つまみ、６ａ  凸部、６ｂ  フランジ
７  ゴムつまみ、７ａ  凹部、７ｂ  凸球面
８  防水シート
９  弾性作動板、９ａ  球面板状押し子、９ｂ  突起、９ｃ、９ｄ  ヒンジ
９ｅ  縁部、９ｆ  板状ベース
【図１】
2008311101.tif 000003
【図２】
2008311101.tif 000004
【図３】
2008311101.tif 000005
【図４】
2008311101.tif 000006
【図５】
2008311101.tif 000007
【図６】
2008311101.tif 000008
【図７】
2008311101.tif 000009